(57)【要約】【課題】他の通信装置の通信への干渉を簡単に防ぐことができること。【解決手段】時分割多元アクセス通信方式により、自装置に割り当てられたスロットに送信信号を所定の出力レベルでバースト状とした通信バースト信号３０１を出力し、通信バースト信号３０１より出力レベルが小さく、通信に無関係の情報を含む電流補償バースト信号４０１ａ，４０１ｂを通信バースト信号３０１のスロットに隣接するスロットに出力し、電流補償バースト信号４０１ａ，４０１ｂのスロットの期間、アンテナ部の接続を切断する制御を行う制御部を備える。【選択図】図４
2016119523.tif 000002
【特許請求の範囲】
【請求項１】
時分割多元アクセス通信方式により、自装置に割り当てられたスロットに送信信号を所定の出力レベルでバースト状とした通信バースト信号を出力し、前記通信バースト信号より出力レベルが小さく、通信に無関係の情報を含む電流補償バースト信号を前記通信バースト信号のスロットに隣接するスロットに出力し、
前記電流補償バースト信号のスロットの期間、アンテナ部の接続を切断する制御を行う制御部を備えたことを特徴とする通信装置。
【請求項２】
自装置が受信した音声の受信信号を磁気信号に変換し送信する送信コイルを含むレシーバ部を有し、
前記レシーバ部は、自装置外部の音声変換装置に前記磁気信号を伝送することを特徴とする請求項１に記載の通信装置。
【請求項３】
送信信号を前記アンテナ部と擬似負荷部との間で切り替えるアンテナ切替部を有し、
前記制御部は、
前記アンテナ切替部を制御し、前記電流補償バースト信号の電力増幅後の出力エネルギーを前記擬似負荷部で消費させることを特徴とする請求項１または２に記載の通信装置。
【請求項４】
前記制御部は、
自装置および他装置のフレーム内のスロットの割り当てに基づき、自装置の前記電流補償バースト信号を出力するスロットが他装置で使用されていない空きスロットの場合、前記電流補償バースト信号を前記アンテナ部から外部に輻射させることを特徴とする請求項１または２に記載の通信装置。
【請求項５】
前記制御部は、
基地局との通信状態に基づき、前記通信バースト信号の出力レベルを決定することを特徴とする請求項１〜４のいずれか一つに記載の通信装置。
【請求項６】
前記制御部は、
前記通信バースト信号の出力レベルに基づき、前記電流補償バースト信号の出力の有無と、スロット数と、出力レベルとを決定することを特徴とする請求項１〜５のいずれか一つに記載の通信装置。
【請求項７】
前記制御部は、
さらに、自装置の電源状態に基づき、前記電流補償バースト信号の出力の有無と、スロット数と、出力レベルとを決定することを特徴とする請求項６に記載の通信装置。
【請求項８】
前記制御部は、
通話接続時に、前記電流補償バースト信号を生成する制御を行うことを特徴とする請求項１〜７のいずれか一つに記載の通信装置。
【請求項９】
前記制御部は、
前記通信バースト信号のスロットの電流変動と、前記電流補償バースト信号のスロットの電流変動が同程度になるように前記電流補償バースト信号の出力レベルを設定することを特徴とする請求項６〜８のいずれか一つに記載の通信装置。
【請求項１０】
前記制御部は、
前記通信バースト信号と、前記電流補償バースト信号を同一の送信周波数に設定することを特徴とする請求項１〜９のいずれか一つに記載の通信装置。
【発明の詳細な説明】
【技術分野】
【０００１】
本発明は、時分割多元アクセス（ＴＤＭＡ：Ｔｉｍｅ  Ｄｏｍａｉｎ  Ｍｕｌｔｉｐｌｅ  Ａｃｃｅｓｓ）通信方式を用いる通信装置に関する。
【背景技術】
【０００２】
移動体通信グローバルシステム（Ｇｌｏｂａｌ  Ｓｙｓｔｅｍｓ  ｆｏｒ  Ｍｏｂｉｌｅ  Ｃｏｍｍｕｎｉｃａｔｉｏｎ、以下ＧＳＭ（登録商標））規格等にしたがいＴＤＭＡ通信方式を利用する携帯電話端末等の通信装置がある。この通信装置は、基地局と符号化情報をやりとりし、予め定められたフレーム周期中に割り当てられたスロットを用い、所定の搬送周波数で音声情報や制御情報等の通信情報をバースト信号として送信する。この搬送周波数は、可聴周波数とは異なる無線周波数である。
【０００３】
通信装置は、バースト信号の送信にかかる電流消費で、フレーム周波数（例えば、２１７Ｈｚ）を基本周波数としたノイズ干渉（バーストノイズと称す）を発生させる。このバーストノイズは可聴領域の周波数であり、電流の変化によって通信装置（例えば送信回路）が有するコイルが基となる誘導磁界を引き起こし、通信装置の外部にバーストノイズとして放射する。バーストノイズは、通信装置間、例えば、通信装置と補聴器との間の通信信号に干渉し、補聴器のユーザーの可聴領域に可聴ノイズを与える。補聴器には、音声信号の増幅モードに加えて、通信装置等が送信する誘導磁界の磁気信号を受信コイルで検出し、音声変換するモード（テレコイルモード：Ｔモード）を有するものがある。磁気成分のバーストノイズは、Ｔモードで用いる通信装置と補聴器との間の磁気信号に干渉を与える。
【０００４】
通信装置は、通信状態の変化、例えば基地局からの距離が離れるなどしてバースト信号の出力レベルが高くなるほどコイル等に急激な電流変化を生じさせ、大きなバーストノイズを外部に輻射する。バーストノイズが大きいほど補聴器の可聴ノイズが増大する。
【０００５】
上記干渉を低減するため、通信装置がバースト信号を送信する送信スロットの前後のスロットに、基地局から割り当てられた送信周波数以外の他の周波数（補償周波数）で変調された干渉補償信号を送信する技術がある（例えば、下記特許文献１参照。）。この技術では、バースト信号に隣接するスロットで低いパワーの干渉補償信号を送信することで、コイルの電流変化を緩和させ、バーストノイズを低減させる。
【先行技術文献】
【特許文献】
【０００６】
【特許文献１】特開平１０−３３６１３２号公報
【発明の概要】
【発明が解決しようとする課題】
【０００７】
従来の技術では、上記干渉補償信号を用いなければ、バースト信号に起因するバーストノイズを抑制できなかった。また、基地局との通信状態に関わらず常に干渉補償信号を送信するため、通信装置の消費電力が増加するなど、通信装置の利便性が損なわれる。
【０００８】
また、バーストノイズを抑制するために、上記干渉補償信号を用いた場合、干渉補償信号を利用する周波数チャネルは、通信システム内の他の通信装置で通信や通話に使用できなくなり、通信システムの容量が減少してしまう。仮に、この通信システム容量の減少を防ぐために、一つの干渉補償チャネルを複数の基地局で共用したとする。この場合、基地局側で干渉補償チャネルに割り当てた周波数チャネルの情報を通信システム内の全ての基地局および通信装置で共有しなければならず、通信システム全体の構成変更が必要となる。
【０００９】
また、ＧＳＭ規格では、基地局の配置にセル方式を利用し、通信装置のハンドオーバー時に隣接する複数の基地局との干渉を避けるため、綿密な周波数割り当てがなされている。通信装置が干渉補償信号に割り当てる周波数を決定する構成とした場合、通信装置は、単に自通信装置が接続する基地局のみならず、隣接する複数の基地局がどの周波数チャネルを使用しているかを把握する必要も生じ、通信装置で複雑な制御が必要となる。
【００１０】
一つの側面では、本発明は、他の通信装置の通信への干渉を簡単に防ぐことができることを目的とする。
【課題を解決するための手段】
【００１１】
一つの案では、時分割多元アクセス通信方式により、自装置に割り当てられたスロットに送信信号を所定の出力レベルでバースト状とした通信バースト信号を出力し、前記通信バースト信号より出力レベルが小さく、通信に無関係の情報を含む電流補償バースト信号を前記通信バースト信号のスロットに隣接するスロットに出力し、前記電流補償バースト信号のスロットの期間、アンテナ部の接続を切断する制御を行う制御部を備えたことを要件とする。
【発明の効果】
【００１２】
一つの実施の形態によれば、他の通信装置の通信への干渉を簡単に防ぐことができる。
【図面の簡単な説明】
【００１３】
【図１】図１は、実施の形態１にかかる通信装置の構成図である。
【図２】図２は、実施の形態１にかかる通信装置と補聴器との間の通信モードを説明する図である。
【図３】図３は、実施の形態１にかかる通信装置が送信する通信バースト信号を示す図である。
【図４】図４は、実施の形態１にかかる通信装置が送信する電流補償バースト信号を示す図である。
【図５】図５は、実施の形態１にかかる通信装置が送信する電流補償バースト信号の他の例を示す図である。
【図６】図６は、実施の形態１にかかる通信装置が送信する電流補償バースト信号のスロット数と出力レベルの組み合わせ例を示す図である。
【図７】図７は、実施の形態１にかかる通信装置が行う利用条件別の電流補償バースト信号の出力制御の例を示す図である。
【図８】図８は、実施の形態１にかかる通信装置が行う電流補償バースト信号の出力の制御処理例を示すフローチャートである。
【図９】図９は、実施の形態２にかかる通信装置が行う電流補償バースト信号の出力の制御処理例を示すフローチャートである。
【発明を実施するための形態】
【００１４】
以下、図面を参照して本発明の通信装置にかかる実施の形態を詳細に説明する。
【００１５】
（実施の形態１）
（通信装置の構成例）
図１は、実施の形態１にかかる通信装置の構成図である。通信装置として、ＧＳＭ規格にしたがいＴＤＭＡ通信方式を利用し基地局との間で無線通信を行う携帯電話端末１００を例に説明する。図１の実線は送受信信号を示し、点線は制御信号を示す。
【００１６】
携帯電話端末１００は、送信ベースバンド部１０１と、モデム（送受信部）１０２と、電力増幅部１０３と、アンテナ切替部１０４と、アンテナ部１０５と、擬似負荷部１０６と、受信ベースバンド部１０７と、制御部１０８と、を含む。モデム１０２は、変調部１１１と、復調部１１２と、無線周波数発振部１１３と、を含む。
【００１７】
また、図１の構成例では、マイク部１２１と、レシーバ部１２２を含む。マイク部１２１は、携帯電話端末１００のユーザーの音声を送信信号に変換して送信ベースバンド部１０１に出力する。
【００１８】
送信ベースバンド部１０１と、モデム１０２の変調部１１１と、電力増幅部１０３は、送信信号の送信系統１００Ａである。モデム１０２の復調部１１２と、受信ベースバンド部１０７は、受信信号の受信系統１００Ｂである。
【００１９】
送信ベースバンド部１０１は、制御部１０８によって制御され、入力信号であるアナログ電気信号からデジタル信号へのデジタル化、音声コーディング、チャネルコーディング、フィルタリング、などのベースバンド処理を実施する。ベースバンド処理された送信ベースバンド信号は、モデム１０２内の変調部１１１へ送られる。
【００２０】
送信ベースバンド部１０１は、例えば、ＣＰＵやＲＯＭ，ＲＡＭ等のメモリを含み、ＲＯＭ等に格納された制御プログラムをＣＰＵが実行し、ＲＡＭを作業データのエリアとして用いることで、送信ベースバンド信号の生成にかかる制御を行う。
【００２１】
モデム１０２の変調部１１１は、制御部１０８によって制御され、送信ベースバンド信号を基地局へ送信するために無線周波数発振部１１３が発振する送信周波数ｆＴＸで変調する。この変調された音声信号（通信信号）は、ＴＤＭＡ通信方式にしたがって時間軸上のパワー変化をバースト状にして出力する。バースト状の通信信号は、スロット間でパワー変化が大きい。以下、音声信号や制御信号等の所望の情報を有する基地局との間の通信信号を通信バースト信号と称する。
【００２２】
また、送信ベースバンド部１０１は、制御部１０８の制御により、後述する電流補償バースト信号の元となるダミーデータを生成し、送信系統１００Ａ上に送出する。変調部１１１は、このダミーデータを変調することで電流補償バースト信号を出力する。
【００２３】
ダミーデータ（電流補償バースト信号）は、基地局との間の通信には無関係の情報である。変調部１１１は、送信ベースバンド部１０１が生成したダミーデータについても、無線周波数発振部１１３が発振する送信周波数ｆＴＸ（通信バースト信号と同じ周波数）で変調し、バースト状の電流補償バースト信号として出力する。
【００２４】
電力増幅部１０３は、変調部１１１が出力する通信バースト信号および電流補償バースト信号を増幅する。電力増幅部１０３は、制御部１０８の制御に基づき、増幅率（利得）を設定可能である。ここで、電力増幅部１０３は、通信バースト信号の出力レベルに対応して電流補償バースト信号の出力レベルを低くする。
【００２５】
アンテナ切替部１０４は、制御部１０８の制御によって、通信バースト信号のスロットの送信タイミングで送信系統１００Ａをアンテナ部１０５に接続するよう切り替える。また、受信信号の受信タイミングでアンテナ部１０５を受信系統１００Ｂに接続するように切り替える。
【００２６】
そして、アンテナ切替部１０４は、制御部１０８の制御によって、電流補償バースト信号のスロットの期間中、送信系統１００Ａとアンテナ部１０５との接続を切断するように切り替える。この際、アンテナ切替部１０４は、電流補償バースト信号のスロットの期間中、送信系統１００Ａを擬似負荷部１０６に接続する。
【００２７】
擬似負荷部１０６は、例えば、抵抗等の終端器を用いることができる。擬似負荷部１０６は、電流補償バースト信号を電力増幅部１０３で電力増幅後の出力のエネルギーを消費（吸収）する。これにより、電流補償バースト信号が携帯電話端末１００のアンテナ部１０５から外部に輻射されないようにする。
【００２８】
アンテナ部１０５は、アンテナ切替部１０４を介して入力された通信バースト信号を輻射し、基地局へ無線伝送する。また、アンテナ部１０５は、基地局から送信された受信信号を受信し、アンテナ切替部１０４に出力する。
【００２９】
モデム１０２の復調部１１２は、アンテナ切替部１０４により切り替えられた受信信号をベースバンド周波数に復調し、受信ベースバンド部１０７に出力する。
【００３０】
受信ベースバンド部１０７は、制御部１０８の制御により、受信信号をベースバンド復調処理し、受信信号のうち音声信号をレシーバ部１２２に出力する。レシーバ部１２２は、音声信号を受話音声に変換し、ユーザーに出力する。
【００３１】
制御部１０８は、携帯電話端末１００が有する上記各構成部を制御する。制御部１０８は、例えば、ＣＰＵやＲＯＭ，ＲＡＭ等のメモリを含み、ＲＯＭ等に格納された制御プログラムをＣＰＵが実行し、ＲＡＭを作業データのエリアとして用いることで、無線の送受信を制御する。
【００３２】
制御部１０８は、例えば、送信信号と受信信号とを時間別に処理し、送信信号については、通信バースト信号と電流補償バースト信号の生成をそれぞれ制御する。詳細は後述するが、制御部１０８は、例えば、通信バースト信号のスロットに隣接するスロットに、電流補償バースト信号を出力する（割り当てる）制御を行う。隣接するスロットとは、通信バースト信号のスロットを基準に時間が前のスロットあるいは後のスロット、および前後のスロットを含む。
【００３３】
また、制御部１０８は、送信信号の送信時には、アンテナ切替部１０４により送信系統１００Ａをアンテナ部１０５に接続し、受信信号の受信時には、アンテナ切替部１０４によりアンテナ部１０５を受信系統１００Ｂに接続する。
【００３４】
実施の形態１では、制御部１０８は、生成した通信バースト信号と電流補償バースト信号のうち、通信バースト信号のスロットの期間だけアンテナ切替部１０４により送信系統１００Ａをアンテナ部１０５に接続する。アンテナ部１０５は、電流補償バースト信号のスロットの期間、送信系統１００Ａから切断される。この電流補償バースト信号は携帯電話端末１００のアンテナ部１０５から外部には輻射されない。電流補償バースト信号は、擬似負荷部１０６に出力され、擬似負荷部１０６は、電力増幅部１０３により電力増幅された後の電流補償バースト信号のエネルギーを消費する。
【００３５】
また、後述する実施の形態２では、電流補償バースト信号のスロットが他携帯電話端末で使用していない場合、制御部１０８は、送信信号の通信バースト信号と電流補償バースト信号を、いずれもアンテナ部１０５から外部に輻射させる制御を行う。この場合、制御部１０８は、通信バースト信号と電流補償バースト信号のスロットの期間、アンテナ切替部１０４により送信系統１００Ａをアンテナ部１０５に接続する。
【００３６】
また、制御部１０８は、送信時には、送信信号のスロットの期間、無線周波数発振部１１３を所定の送信周波数ｆＴＸに設定し、受信時には、受信信号のスロットの期間、無線周波数発振部１１３を所定の受信周波数ｆＲＸに設定する。
【００３７】
また、制御部１０８は、携帯電話端末１００の基地局との間の通信状態や距離などに基づき、電力増幅部１０３を制御し、送信信号である通信バースト信号と電流補償バースト信号の出力レベルを可変する制御を行う。この際、通信バースト信号の出力レベルに応じて電流補償バースト信号の出力レベルを可変する制御を行う。
【００３８】
携帯電話端末１００が有する上記の各構成部は、図示しない電池（バッテリ）の電源供給によって動作する。このため、制御部１０８は、電池残量に応じて電流補償バースト信号の送信の有無を制御することもできる。また、図１に示す通話接続（ＣＳ：Ｃｉｒｃｕｉｔ  Ｓｗｉｔｃｈｅｄ）時のみ電流補償バースト信号を送信し、パケット接続（ＰＳ：Ｐａｃｋｅｔ  Ｓｗｉｔｃｈｅｄ）時には、電流補償バースト信号を送信しない制御を行うこともできる。
【００３９】
上述したバーストノイズによる補聴器への干渉は、通話接続時に生じるため、通話接続時にのみ電流補償バースト信号を送信する制御を行えばよい。
【００４０】
（補聴器に対するバーストノイズの干渉について）
図２は、実施の形態１にかかる通信装置と補聴器との間の通信モードを説明する図である。難聴等のユーザーは、補聴器（音声変換装置）２００を用いて受話音声を増幅して聞き取る。補聴器２００には、マイク２０１を用いて音声信号Ａを集音後、音声増幅する通常の音声増幅モードの他に、磁気信号Ｂ（誘導磁界）を受信コイル（ピックアップコイル）２０２で検出して音声変換するモード（Ｔモードと称される）を有するものがある。
【００４１】
そして、携帯電話端末１００のレシーバ部１２２は、通常の音声信号Ａを出力するスピーカ２１１と、Ｔモードに対応した磁気信号Ｂを出力する送信コイル２１２とを含み構成できる。
【００４２】
Ｔモードによる伝送によれば、通信装置間（携帯電話端末１００と補聴器２００との間）での音声成分の環境雑音Ｎの混入を低減でき、受話音声を聞き取りやすくできる。但し、このＴモードでは、上述したように、補聴器２００は、携帯電話端末１００の内部から放射される磁気成分のバーストノイズの干渉を受けると可聴ノイズを生じる。
【００４３】
（送信処理）
次に、送信系統１００Ａによる通信信号の送信処理例を説明する。図１の例では、携帯電話端末１００のユーザーが発した通話の音声をマイク部１２１が電気信号に変換し、送信ベースバンド部１０１へ出力し、送信ベースバンド信号を生成する。この際、制御部１０８は、送信ベースバンド信号を変調部１１１へ送るスロットとフレームタイミングを制御する。スロット／およびフレームタイミングは、携帯電話端末１００が通話開始前に基地局との間でやりとりするシグナリング情報に基づき定められる。
【００４４】
そして、変調部１１１は、制御部１０８の制御により、送信ベースバンド信号を基地局へ送信するための無線周波数ｆＴＸで変調し、通信バースト信号として出力する。この際、制御部１０８は、送信用の無線周波数ｆＴＸを定め無線周波数発振部１１３へ設定する。この無線周波数ｆＴＸも、前述したシグナリング情報の送信周波数チャネルに基づいて設定される。
【００４５】
通信バースト信号は、電力増幅部１０３によって出力増幅された後、アンテナ切替部１０４に送られる。この際、制御部１０８は、基地局からのシグナリング情報に基づき、所定の信号出力となるように、電力増幅部１０３の信号利得を制御する。
【００４６】
この後、制御部１０８の制御により、通信バースト信号は、アンテナ切替部１０４を介してアンテナ部１０５から外部に輻射される。
【００４７】
図３は、実施の形態１にかかる通信装置が送信する通信バースト信号を示す図である。０〜７の８スロットで１フレームを構成し、１ユーザー（１台の携帯電話端末１００）は、基地局により割り当てられた一つのスロット（図示の例ではスロット２）を使用して通信バースト信号３０１を送信出力する。通話中は、１ユーザーの携帯電話端末１００が使用する各フレームのスロット（スロット２）は固定である。
【００４８】
（受信処理）
次に、受信系統１００Ｂによる通信信号の受信処理例を説明する。受信信号である通話相手の音声は、送信時の無線周波数ｆＴＸとは異なる受信周波数ｆＲＸで変調されて、基地局から送信される。携帯電話端末１００は、アンテナ部１０５で受信した受信信号は、アンテナ切替部１０４を通じてモデム１０２の復調部１１２に送られる。
【００４９】
そして、復調部１１２は、受信信号をベースバンド周波数に復調して受信ベースバンド部１０７に送る。受信ベースバンド部１０７は、ベースバンド復調処理された信号のうち音声信号をレシーバ部１２２に送り、レシーバ部１２２から受話音声としてユーザーが聞き取ることができる。
【００５０】
また、上述したように、音声信号はレシーバ部１２２により、音声信号Ａをスピーカ２１１から出力する音声増幅モードと、磁気信号Ｂを送信コイル２１２から出力するＴモードとを有する。補聴器２００をＴモードとすることで、補聴器２００内のピックアップコイル２０２は、レシーバ部１２２が送信する磁気信号Ｂ（誘導磁界）を受信し、受信した磁気信号Ｂを増幅することにより、環境雑音Ｎの混入を防ぎ、通話相手の音声を聞き取りやすくする。
【００５１】
（電流補償バースト信号について）
図４は、実施の形態１にかかる通信装置が送信する電流補償バースト信号を示す図である。上述した通信バースト信号３０１は、例えば、最大２Ｗの大パワーを有する。送信系統１００Ａの変調部１１１や、電力増幅部１０３等は、送信信号（通信バースト信号３０１）の生成のためにコイル（インダクタ）を有する。
【００５２】
この通信バースト信号３０１は、送信系統１００Ａ上（例えば、電力増幅部１０３）や電源ＩＣ等に設けられたコイルに対して急激な電流変動（突入電流）を生じさせ、上述したバーストノイズを放射する。この際、送信系統１００Ａ上のコイルが基となり発生した誘導磁界は、携帯電話端末１００内部の他のコイル、例えば、レシーバ部１２２に設けられた送信コイル２１２等にも誘導磁界を生じさせ、送信コイル２１２がバーストノイズを放射する。
【００５３】
このバーストノイズを抑制するため、制御部１０８は、通信バースト信号３０１の生成に伴う大きな電流変動を低減させる。そして、制御部１０８は、送信ベースバンド部１０１およびモデム１０２（変調部１１１）を制御して、通信バースト信号３０１に隣接するスロットに電流補償バースト信号４０１を出力する（割り当てる）。
【００５４】
この際、制御部１０８は、基地局から割り当てられた通信バースト信号３０１が使用するスロット（スロット２）の前のスロット（スロット１）、または後のスロット（スロット３）に電流補償バースト信号４０１（４０１ａ，４０１ｂ）を出力させる。この際、制御部１０８は、電流補償バースト信号４０１を通信バースト信号３０１の出力レベルよりも低い出力レベルで出力する制御を行う。これにより、送信系統１００Ａに設けられた電力増幅部１０３のコイルに対する通信バースト信号３０１の急激な電流変動（突入電流）を軽減できる。
【００５５】
電流補償バースト信号４０１により電力増幅部１０３で一定の電流を消費させ、基地局と通信する通信バースト信号３０１のスロットと、基地局と通信しないスロット間の急激な電流差分を少なくし、通信バースト信号３０１の電流変化を穏やかにする。したがって、送信系統１００Ａに設けられた電力増幅部１０３のコイルを発生源とするバーストノイズの外部への放射を抑制できるようになる。
【００５６】
また、制御部１０８は、通信バースト信号３０１用のスロット（スロット２）に隣接する前後いずれかのスロット（スロット１，３）を用いて電流補償バースト信号４０１（４０１ａ，４０１ｂ）を出力させてもよい。
【００５７】
電流補償バースト信号４０１の元となるダミーデータは、制御部１０８の制御により、例えば、周波数補正バーストまたはダミーバーストを用いて送信ベースバンド部１０１が生成する。これら周波数補正バースト、ダミーバーストは、ＧＳＭ規格（３ＧＰＰ  ＴＳ４５．００２）で定められた「０」「１」を組み合わせたデータコードとして、送信ベースバンド部１０１のメモリ等に予め保持している。電流補償バースト信号４０１として、他種類のノーマルバーストや同期バーストを用いることもできるが、周波数補正バーストとダミーバーストは常に固定データであるため使用の利便性がよく、データコードの読み出しだけで簡単に用いることができる。
【００５８】
通信バースト信号３０１と電流補償バースト信号４０１は、同一の送信周波数ｆＴＸである。なお、図４に示したように、携帯電話端末１００は、同一フレーム内の通信バースト信号３０１のスロット（スロット２）から３スロット離れたスロット（スロット５）で基地局から送信される受信信号４１１を所定の受信周波数ｆＲＸで受信する。
【００５９】
この電流補償バースト信号４０１が使用するスロット（スロット１，３）は、本来割り当てられたスロットではないため、携帯電話端末１００から輻射された場合、他ユーザー（他携帯電話端末）が使用していると影響を及ぼす。そのため、実施の形態１では、制御部１０８は、電流補償バースト信号４０１の生成タイミングで、アンテナ切替部１０４を制御し、電流補償バースト信号４０１（４０１ａ，４０１ｂ）を擬似負荷部１０６へ送る。
【００６０】
図４の例では、スロット（スロット１，３）の電流補償バースト信号４０１（４０１ａ，４０１ｂ）を擬似負荷部１０６へ送る。なお、擬似負荷部１０６を設けない場合、電流補償バースト信号４０１の内部反射により電力増幅部１０３やモデム１０２の破損につながる場合がある。
【００６１】
そして、制御部１０８は、電力増幅部１０３を制御して、通信バースト信号３０１の出力レベルＰｏに応じて電流補償バースト信号４０１の出力レベルＰｓを設定する。例えば、通信バースト信号３０１の立ち上がり、あるいは立下り時のスロットの電流変動と、電流補償バースト信号４０１の立ち上がり、あるいは立下り時のスロットの電流変動が同程度になるように電流補償バースト信号４０１の出力レベルＰｓを設定する。
【００６２】
図５は、実施の形態１にかかる通信装置が送信する電流補償バースト信号の他の例を示す図である。通信バースト信号３０１を送信するスロットに隣接するスロットの電流補償バースト信号４０１だけでは所望の電流変動の低減量を満足できないと想定される場合、さらに、電流補償バースト信号４０１のスロット数を増やすこともできる。
【００６３】
図５の例では、通信バースト信号３０１を送信するスロット２に隣接する前後のスロット１，３で出力レベルＰｓ１の電流補償バースト信号４０１ａ，４０１ｂを割り当てている。さらに、スロット１，３に隣接する前後の２つのスロット０，４で出力レベルＰｓ２の電流補償バースト信号４０１ｃ，４０１ｄを割り当てている。
【００６４】
この図５に示す例では、通信バースト信号３０１の出力レベルＰｏに対し、前後のスロットの電流補償バースト信号４０１の出力レベルＰｓ１，Ｐｓ２を徐々に小さくする（Ｐｓ１＞Ｐｓ２）。これにより、通信バースト信号３０１の立ち上がり、および立下り時の電流変動をさらに小さくできる。
【００６５】
なお、図４のように、送信信号である通信バースト信号３０１のスロット（スロット２）から３スロット離れたスロット（スロット５）が受信信号４１１として規定されている場合、図５のように電流補償バースト信号４０１のスロット数は最大で４となる。
【００６６】
図６は、実施の形態１にかかる通信装置が送信する電流補償バースト信号のスロット数と出力レベルの組み合わせ例を示す図である。制御部１０８による電流補償バースト信号４０１の割り当ての一例を以下に示す。
【００６７】
電流補償バースト信号４０１で使用するスロット数を２とした時には、通信バースト信号３０１のスロット番号Ｎに隣接する前後のスロットＮ±１の電流補償バースト信号４０１ａ，４０１ｂの出力レベルは、通信バースト信号３０１の出力レベルＰｏの２／３とする。また、スロットＮ±２の電流補償バースト信号４０１ｃ，４０１ｄの出力レベルは、通信バースト信号３０１の出力レベルＰｏの１／３とする（図５参照）。
【００６８】
電流補償バースト信号４０１で使用するスロット数を１とした時には、通信バースト信号３０１のスロット番号Ｎの前後のスロットＮ±１の電流補償バースト信号４０１ａ，４０１ｂの出力レベルは、通信バースト信号３０１の出力レベルＰｏの１／２とする（図４参照）。
【００６９】
また、電流補償バースト信号４０１として通信バースト信号３０１の前または後の１スロットだけを用いる場合、スロットＮ±１の電流補償バースト信号４０１ａ（または４０１ｂ）の出力レベルは、通信バースト信号３０１の出力レベルＰｏの１／２とする。
【００７０】
図７は、実施の形態１にかかる通信装置が行う利用条件別の電流補償バースト信号の出力制御の例を示す図である。制御部１０８は、例えば、図７に示す条件１〜条件３の組み合わせに基づき、電流補償バースト信号４０１の生成の有無と、使用するスロットの数を決定する。
【００７１】
制御部１０８は、通信バースト信号３０１の出力レベルＰｏに基づき、電流補償バースト信号４０１のスロット数と出力レベルを決定する。また、通信バースト信号３０１の出力レベルＰｏと、電流補償バースト信号４０１として使用可能なスロット数とに基づき、電流補償バースト信号４０１の出力レベルを決定することもできる。
【００７２】
例えば、携帯電話端末１００と基地局との距離が近く、通話の通信品質がよい場合には、通信バースト信号３０１の出力レベルＰｏは小さくて済む。このとき、通信バースト信号３０１の立ち上がりおよび立下り時の電流変動も同様に小さくなる。このため、電流補償バースト信号４０１を生成しなくとも通話時の補聴器２００へのバーストノイズの干渉量はユーザーが無視できる程度に小さくなる。
【００７３】
制御部１０８は、通信バースト信号の出力レベルが所定のしきい値以下の場合には、電流補償バースト信号４０１の生成をＯｆｆにすることができる。これにより、基地局との通信品質がよい場合には、電流補償バースト信号４０１を送信せず、スロットを無駄に使用せずに電流補償バースト信号４０１生成のための無駄な電流消費を防いで、バッテリ消費を抑えることもできる。
【００７４】
電流補償バースト信号４０１の生成がＯｆｆの場合、バーストノイズ低減（低減モード）の機能Ｏｆｆに相当し、電流補償バースト信号４０１の生成がＯｎの場合、バーストノイズ低減（低減モード）の機能Ｏｎに相当する。制御部１０８は、基地局との通信品質等に基づいて、バーストノイズ低減（低減モード）の機能を自動的にＯｎ／Ｏｆｆ制御することができる。これにより、必要時のみバーストノイズ低減（低減モード）の機能をＯｎに制御できるとともに、無駄な電流消費を抑えることができる。
【００７５】
しきい値は、予め測定した通信バースト信号の出力レベルと補聴器への干渉量の関係性から算出しておき、制御部１０８（ＣＰＵ）が読み出し可能なようにメモリに格納保持しておく。
【００７６】
図７に示した電流補償バースト信号４０１の出力制御の例を説明する。制御部１０８は、条件１〜条件３の組み合わせに基づき、電流補償バースト信号４０１の生成を以下のように制御する。
【００７７】
制御部１０８は、条件１では、携帯電話端末１００の使用が通話接続（ＣＳ）であるか、パケット接続（ＰＳ）であるかを判断する。
【００７８】
また、制御部１０８は、条件２では、例えば、２段のしきい値（しきい値１，しきい値２）を用いて通信バースト信号３０１の出力レベルＰｏが３段階（小、中、大）のいずれかを判断する。しきい値１は、通信バースト信号３０１の出力レベルが小さい値に対応するよう設定しておき、しきい値２は、通信バースト信号３０１の出力レベルが大きい値に対応するよう設定しておく（出力レベル：しきい値１＜しきい値２）。
【００７９】
また、制御部１０８は、条件３では、携帯電話端末１００の電源状態を用いて判断し、この例では、節電モードがＯｎ／Ｏｆｆいずれであるか、および電池残量（図示の例では電池残量３０％のしきい値）に基づき判断する。
【００８０】
条件１が通話接続であり、条件２で通信バースト信号３０１の出力レベルＰｏがしきい値２以上（出力レベル大）であり、条件３で節電モードがＯｆｆ、かつ電池残量が有り（３０％以上）であったとする。この場合、制御部１０８は、電流補償バースト信号４０１として通信バースト信号３０１の前と後で２スロットずつ使用する。この状態は図５に示したように、計４つのスロットを用いて電流補償バースト信号４０１ａ〜４０１ｄを出力する。
【００８１】
また、条件１が通話接続であり、条件２で通信バースト信号３０１の出力レベルＰｏがしきい値２未満しきい値１以上（出力レベル中）であり、条件３で節電モードがＯｆｆ、かつ電池残量が有り（３０％以上）であったとする。この場合、制御部１０８は、電流補償バースト信号４０１として前と後で１スロットずつ使用する。この状態は図４に示したように、計２つのスロットを用いて電流補償バースト信号４０１ａ，４０１ｂを出力する。
【００８２】
また、条件１が通話接続であり、条件２で通信バースト信号３０１の出力レベルＰｏがしきい値１未満（出力レベル小）であり、条件３で節電モードがＯｆｆ、かつ電池残量が有り（３０％以上）であったとする。この場合、制御部１０８は、電流補償バースト信号４０１を出力しない（送信ベースバンド部１０１にダミーバーストを生成させない）。
【００８３】
また、条件１が通話接続であり、条件３で節電モードがＯｎ、または電池残量がなし（３０％未満）であったとする。この場合、制御部１０８は、条件２（通信バースト信号３０１の出力レベルＰｏ）に関わらず、電流補償バースト信号４０１を出力しない（送信ベースバンド部１０１にダミーバーストを生成させない）。
【００８４】
また、条件１がパケット接続であれば、条件２および条件３に関わらず、ユーザーは通話を行わず、補聴器２００を使用するユーザーへのバーストノイズの影響は生じないため、制御部１０８は、電流補償バースト信号４０１を出力しない（送信ベースバンド部１０１にダミーバーストを生成させない）。
【００８５】
上記のように、制御部１０８は、携帯電話端末１００の利用条件である、接続状態の有無（条件１）、通信バースト信号の出力レベルＰｏ（条件２）、電源状態（条件３）を組み合わせることで電流補償バースト信号４０１の出力の状態を適切に制御する。
【００８６】
例えば、携帯電話端末１００と基地局との距離が遠く、通話の通信品質が悪い場合には、通信バースト信号３０１の出力レベルＰｏに応じた出力レベルの電流補償バースト信号４０１としたり、電流補償バースト信号４０１を送信するスロット数を増やす。このように、通信品質に応じて電流補償バースト信号４０１のレベルやスロット数を制御してバーストノイズを軽減させる。
【００８７】
一方、携帯電話端末１００と基地局との距離が近く、通話の通信品質がよい場合には、通信バースト信号３０１の出力レベルＰｏが小さくバーストノイズが少ないため、電流補償バースト信号４０１のスロット数を減らしたり、生成を行わない。また、上記例によれば、電池残量が少ない場合や、省電力モードに設定した場合には、電流補償バースト信号４０１を出力せずに、通話品質の改善よりも消費電流の削減を優先させることもできる。
【００８８】
（電流補償バースト信号の制御処理例）
図８は、実施の形態１にかかる通信装置が行う電流補償バースト信号の出力の制御処理例を示すフローチャートである。ユーザーの通話接続時に、制御部１０８が携帯電話端末１００の各部を制御する処理例を示す。
【００８９】
はじめに、制御部１０８は、携帯電話端末１００の電源Ｏｎにより基地局から通知される制御情報をもとに、自携帯電話端末１００および他携帯電話端末に割り当てられた送受信スロット番号を取得する（ステップＳ８０１）。取得したスロット番号は、制御部１０８のメモリに保持される。図３の例では、自携帯電話端末１００に割り当てられた送信スロットがスロット２である。この場合、自携帯電話端末１００の受信スロットは、図４に示すようにスロット５に割り当てられる。
【００９０】
次に、制御部１０８は、自携帯電話端末１００で処理中のスロット番号を初期値０に設定する（ステップＳ８０２）。そして、制御部１０８は、基地局からの制御情報をもとに、自携帯電話端末１００の通信バースト信号３０１の出力レベルＰｏの値を更新する（ステップＳ８０３）。
【００９１】
次に、制御部１０８は、自携帯電話端末１００の利用条件に基づき、電流補償バースト信号４０１の送信スロットと送信レベルを決定する（ステップＳ８０４）。この際、制御部１０８は、上記図７に示したように、自携帯電話端末１００の利用条件（条件１〜条件３）に適した電流補償バースト信号４０１の送信スロット（送信の有無およびスロット数、出力レベルＰｓ）を決定する。
【００９２】
次に、制御部１０８は、現在の処理中のスロット番号の種別を判断する（ステップＳ８０５）。一つのスロットは、通信バースト信号３０１の送信、アイドル（有効な通信信号の送受信なし、但し電流補償バースト信号４０１を含む）、受信信号の受信、のいずれかである。
【００９３】
ステップＳ８０５において、現在のスロット番号の種別が送信であれば（ステップＳ８０５：送信）、制御部１０８は、アンテナ切替部１０４に対し、送信系統１００Ａの電力増幅部１０３をアンテナ部１０５に接続するよう切替制御する（ステップＳ８０６）。
【００９４】
この後、制御部１０８は、送信周波数チャネルに基づき、無線周波数発振部１１３に送信周波数ｆＴＸを設定する（ステップＳ８０７）。そして、制御部１０８は、通信バースト信号３０１の出力レベルＰｏに基づき、電力増幅部１０３の利得を設定する（ステップＳ８０８）。この後、制御部１０８は、変調部１１１から通信バースト信号３０１を出力するように設定し（ステップＳ８０９）、ステップＳ８１７に移行する。
【００９５】
また、ステップＳ８０５において、現在のスロット番号の種別がアイドルであれば（ステップＳ８０５：アイドル）、制御部１０８は、現在のスロット番号が電流補償バースト信号４０１の送信スロットであるか判断する（ステップＳ８１０）。現在のスロット番号が電流補償バースト信号４０１の送信スロットであれば（ステップＳ８１０：Ｙｅｓ）、ステップＳ８１１に移行し、現在のスロット番号が電流補償バースト信号４０１の送信スロットでなければ（ステップＳ８１０：Ｎｏ）、ステップＳ８１７に移行する。
【００９６】
ステップＳ８１１では、制御部１０８は、アンテナ切替部１０４に対し、送信系統１００Ａの電力増幅部１０３を擬似負荷部１０６に接続するよう切替制御する（ステップＳ８１１）。
【００９７】
この後、制御部１０８は、送信周波数チャネルに基づき、無線周波数発振部１１３に送信周波数ｆＴＸを設定する（ステップＳ８１２）。そして、制御部１０８は、電流補償バースト信号４０１の出力レベルＰｓに基づき、電力増幅部１０３の利得を設定する（ステップＳ８１３）。この後、制御部１０８は、変調部１１１から電流補償バースト信号４０１を出力するように設定し（ステップＳ８１４）、ステップＳ８１７に移行する。
【００９８】
また、ステップＳ８０５において、現在のスロット番号の種別が受信であれば（ステップＳ８０５：受信）、制御部１０８は、アンテナ切替部１０４に対し、受信系統１００Ｂの復調部１１２をアンテナ部１０５に接続するよう切替制御する（ステップＳ８１５）。
【００９９】
この後、制御部１０８は、受信周波数チャネルに基づき、無線周波数発振部１１３に受信周波数ｆＲＸを設定し（ステップＳ８１６）、ステップＳ８１７に移行する。
【０１００】
ステップＳ８１７では、制御部１０８は、現在の処理中のスロット番号に１を加算し（ステップＳ８１７）、通話接続が継続したか判断する（ステップＳ８１８）。通話接続が継続していれば（ステップＳ８１８：Ｙｅｓ）、制御部１０８は、現在の処理中のスロット番号が最大であるか判断する（ステップＳ８１９）。図３の例ではスロット番号の最大は７である。現在のスロット番号が最大でなければ（ステップＳ８１９：Ｎｏ）、ステップＳ８０５に戻り、現在のスロット番号が最大であれば（ステップＳ８１９：Ｙｅｓ）、ステップＳ８０２に戻り、次のスロットを処理する。
【０１０１】
また、ステップＳ８１８において、通話接続が継続していなければ（ステップＳ８１８：Ｎｏ）、通話終了であり、以上の処理を終了する。
【０１０２】
以上説明した実施の形態１によれば、携帯電話端末が通信するために基地局から割り当てられた通信バースト信号を送信するスロットに隣接するスロットを用いて、通信バースト信号より出力レベルが低い電流補償バースト信号を出力する。この電流補償バースト信号によって電力増幅部で一定の電流を消費させることで、基地局に送信する通信バースト信号のスロットと、基地局と通信しないスロット間の急激な電流差分を少なくする。そして、電力増幅部に設けられたコイルに対する急激な電流変化を軽減させ、磁界成分のバーストノイズを携帯電話端末の外部に放射することを防ぐ。
【０１０３】
これにより、携帯電話端末の近くに位置する外部装置、例えば、携帯電話端末に接続され、磁界成分の通話音声の信号を増幅するＴモードの補聴器に対するバーストノイズ（可聴ノイズ）の混入を防ぎ、補聴器で音声を明瞭に聞き取れ、補聴器の性能劣化を防ぐことができる。
【０１０４】
また、電流補償バースト信号が生成されたスロットは、アンテナ切り替えにより擬似負荷部に出力され、擬似負荷部で電流補償バースト信号の電力増幅後の出力のエネルギーが消費される。これにより、電流補償バースト信号は携帯電話端末のアンテナから輻射されないため、同一フレーム内で割り当てられた他の携帯電話端末の通信への干渉を防ぐことができる。
【０１０５】
電流補償バースト信号は、携帯電話端末の外部へ送信されないため、基地局から割り当てられた周波数チャネルと同一とすることができる。これにより、他携帯電話端末との干渉を防ぐための補償周波数のような別の周波数を割り当てる基地局等の制御を不要にできる。そして、通信システム容量の増大等の影響を生じることがなく、基地局側の制御も不要にでき、携帯電話端末が輻射するバーストノイズを低減化できるようになる。
【０１０６】
（実施の形態２）
次に、実施の形態２について説明する。実施の形態２では、基地局と携帯電話端末との通信で使用するスロット以外のスロットが他ユーザー（他携帯電話端末）で使用していない空きスロットである場合、電流補償バースト信号４０１を擬似負荷部１０６ではなくアンテナ部１０５へ供給する。実施の形態２は、実施の形態１（図１参照）と同じ各構成部を用い、電流補償バースト信号４０１の出力制御を変更させた点が異なる。
【０１０７】
図９は、実施の形態２にかかる通信装置が行う電流補償バースト信号の出力の制御処理例を示すフローチャートである。ユーザーの通話接続時に、制御部１０８が携帯電話端末１００の各部を制御する処理例を示す。
【０１０８】
はじめに、制御部１０８は、携帯電話端末１００の電源Ｏｎにより基地局から通知される制御情報をもとに、自携帯電話端末１００および他携帯電話端末に割り当てられた送受信スロット番号を取得する（ステップＳ９０１）。取得したスロット番号は、制御部１０８のメモリに保持される。
【０１０９】
次に、制御部１０８は、自携帯電話端末１００で処理中のスロット番号を初期値０に設定する（ステップＳ９０２）。そして、制御部１０８は、基地局からの制御情報をもとに、自携帯電話端末１００の通信バースト信号３０１の出力レベルＰｏの値を更新する（ステップＳ９０３）。
【０１１０】
次に、制御部１０８は、自携帯電話端末１００の利用条件に基づき、電流補償バースト信号４０１の送信スロットと送信レベルを決定する（ステップＳ９０４）。この際、制御部１０８は、上記図７に示したように、自携帯電話端末１００の利用条件（条件１〜条件３）に適した電流補償バースト信号４０１の送信スロット（送信の有無およびスロット数、出力レベルＰｓ）を決定する。
【０１１１】
次に、制御部１０８は、現在の処理中のスロット番号の種別を判断する（ステップＳ９０５）。一つのスロットは、通信バースト信号３０１の送信、アイドル（有効な通信信号の送受信なし、但し電流補償バースト信号４０１を含む）、受信信号の受信、のいずれかである。
【０１１２】
ステップＳ９０５において、現在のスロット番号の種別が送信であれば（ステップＳ９０５：送信）、制御部１０８は、アンテナ切替部１０４に対し、送信系統１００Ａの電力増幅部１０３をアンテナ部１０５に接続するよう切替制御する（ステップＳ９０６）。
【０１１３】
この後、制御部１０８は、送信周波数チャネルに基づき、無線周波数発振部１１３に送信周波数ｆＴＸを設定する（ステップＳ９０７）。そして、制御部１０８は、通信バースト信号３０１の出力レベルＰｏに基づき、電力増幅部１０３の利得を設定する（ステップＳ９０８）。この後、制御部１０８は、変調部１１１から通信バースト信号３０１を出力するように設定し（ステップＳ９０９）、ステップＳ９１８に移行する。
【０１１４】
また、ステップＳ９０５において、現在のスロット番号の種別がアイドルであれば（ステップＳ９０５：アイドル）、制御部１０８は、現在のスロット番号が電流補償バースト信号４０１の送信スロットであるか判断する（ステップＳ９１０）。現在のスロット番号が電流補償バースト信号４０１の送信スロットであれば（ステップＳ９１０：Ｙｅｓ）、ステップＳ９１１に移行し、現在のスロット番号が電流補償バースト信号４０１の送信スロットでなければ（ステップＳ９１０：Ｎｏ）、ステップＳ９１８に移行する。
【０１１５】
ステップＳ９１１では、制御部１０８は、現在処理中のスロットが他携帯電話端末で未使用スロットであるか判断する（ステップＳ９１１）。制御部１０８は、ステップＳ９０１で自携帯電話端末１００および他携帯電話端末に割り当てられたスロット番号を取得しているため、ステップＳ９１１の判断が行える。そして、現在のスロット番号が他携帯電話端末で未使用のスロットであれば（ステップＳ９１１：Ｙｅｓ）、制御部１０８は、ステップＳ９０６に移行し、ステップＳ９０６以下の処理を実行する。これにより、電流補償バースト信号４０１は、アンテナ部１０５から輻射される。
【０１１６】
一方、現在のスロット番号が他携帯電話端末で使用中のスロットであれば（ステップＳ９１１：Ｎｏ）、ステップＳ９１２以下の処理を行う。ステップＳ９１２では、制御部１０８は、アンテナ切替部１０４に対し、送信系統１００Ａの電力増幅部１０３を擬似負荷部１０６に接続するよう切替制御する（ステップＳ９１２）。
【０１１７】
この後、制御部１０８は、送信周波数チャネルに基づき、無線周波数発振部１１３に送信周波数ｆＴＸを設定する（ステップＳ９１３）。そして、制御部１０８は、電流補償バースト信号４０１の出力レベルＰｓに基づき、電力増幅部１０３の利得を設定する（ステップＳ９１４）。この後、制御部１０８は、変調部１１１から電流補償バースト信号４０１を出力するように設定し（ステップＳ９１５）、ステップＳ９１８に移行する。
【０１１８】
また、ステップＳ９０５において、現在のスロット番号の種別が受信であれば（ステップＳ９０５：受信）、制御部１０８は、アンテナ切替部１０４に対し、受信系統１００Ｂの復調部１１２をアンテナ部１０５に接続するよう切替制御する（ステップＳ９１６）。
【０１１９】
この後、制御部１０８は、受信周波数チャネルに基づき、無線周波数発振部１１３に受信周波数ｆＲＸを設定し（ステップＳ９１７）、ステップＳ９１８に移行する。
【０１２０】
ステップＳ９１８では、制御部１０８は、現在の処理中のスロット番号に１を加算し（ステップＳ９１８）、通話接続が継続したか判断する（ステップＳ９１９）。通話接続が継続していれば（ステップＳ９１９：Ｙｅｓ）、制御部１０８は、現在の処理中のスロット番号が最大であるか判断する（ステップＳ９２０）。図３の例ではスロット番号の最大は７である。現在のスロット番号が最大でなければ（ステップＳ９２０：Ｎｏ）、ステップＳ９０５に戻り、現在のスロット番号が最大であれば（ステップＳ９２０：Ｙｅｓ）、ステップＳ９０２に戻り、次のスロットを処理する。
【０１２１】
また、ステップＳ９１９において、通話接続が継続していなければ（ステップＳ９１９：Ｎｏ）、通話終了であり、以上の処理を終了する。
【０１２２】
以上説明した実施の形態２によれば、実施の形態１と同様に、携帯電話端末が通信するために基地局から割り当てられた通信バースト信号を送信するスロットに隣接する前後のスロットに、通信バースト信号より出力レベルが低い電流補償バースト信号を出力する。この電流補償バースト信号によって電力増幅部で一定の電流を消費させることで、基地局に送信する通信バースト信号のスロットと、基地局と通信しないスロット間の急激な電流差分を少なくする。そして、電力増幅部に設けられたコイルに対する急激な電流変化を軽減させ、磁界成分のバーストノイズを携帯電話端末の外部に放射することを防ぐ。
【０１２３】
これにより、携帯電話端末の近くに位置する外部装置、例えば、携帯電話端末に接続され、磁界成分の通話音声の信号を増幅するＴモードの補聴器に対するバーストノイズ（可聴ノイズ）の混入を防ぎ、明瞭な音声が聞き取れ、補聴器の性能劣化を防ぐことができる。
【０１２４】
そして、実施の形態２では、電流補償バースト信号が生成されたスロットが他携帯電話端末で未使用であるか否かにより、アンテナからの輻射、あるいは擬似負荷部でのエネルギー消費、のいずれかにアンテナを切替制御する。
【０１２５】
例えば、電流補償バースト信号が生成されたスロットが他携帯電話端末で使用されていれば、擬似負荷部で電流補償バースト信号の電力増幅後の出力のエネルギーを消費させるよう切替制御する。これにより、電流補償バースト信号が携帯電話端末のアンテナから輻射されず、他携帯電話端末が使用中のスロットで電流補償バースト信号が送信されることを防ぎ、他の携帯電話端末の通信への干渉を防ぐことができる。
【０１２６】
また、電流補償バースト信号が生成されたスロットが他携帯電話端末で未使用であれば電流補償バースト信号を携帯電話端末のアンテナから外部に輻射させる。この場合、電流補償バースト信号を送信するスロットは、他携帯電話端末が通信に使用していないため、電流補償バースト信号を外部に送信しても他携帯電話端末の通信への干渉は生じない。
【０１２７】
この実施の形態２の制御によれば、電流補償バースト信号に対するアンテナ切替部の切り替え回数を削減することができる。他携帯電話端末が通信に使用していないスロットが多いほど、アンテナ切替部が送信系統を擬似負荷部に接続させる切り替え回数を減らすことができ、送信系統をアンテナ部に切り替えた状態で保持できる。最小では自携帯電話端末での送信スロットと受信スロットの切り替えだけで済む。
【０１２８】
アンテナ切替部の切り替え回数を削減できることで、アンテナ切替部の耐久性向上と切り替え動作にかかる消費電力の削減が図れる。加えて、擬似負荷部での電流補償バースト信号のエネルギー消費を軽減して擬似負荷部での発熱が抑えられ、携帯電話端末内部の温度上昇を抑えることができ、携帯電話端末の各部の動作を安定化することもできる。
【０１２９】
実施の形態２においても、電流補償バースト信号が生成されたスロットが他携帯電話端末で使用されていれば、電流補償バースト信号を外部へ送信させないため、電流補償バースト信号は、基地局から割り当てられた周波数チャネルと同一とすることができる。これにより、他携帯電話端末との干渉を防ぐための補償周波数のような別の周波数を割り当てる基地局等の制御を不要にできる。そして、通信システム容量の増大等の影響を生じることがなく、基地局側の制御も不要にでき、携帯電話端末が輻射するバーストノイズを低減化できるようになる。
【０１３０】
そして、上記の各実施の形態によれば、バーストノイズの発生源である誘導磁界を発生する電力増幅部や電源ＩＣ等に設けられたコイルと、誘導磁界の影響を受けるレシーバ部の送信コイルとを離して配置する必要がない。これにより、装置内でのコイル配置の制約を緩和することができ、携帯電話端末などの装置の小型化の妨げとならない。
【０１３１】
上記の各実施の形態では、通信装置として携帯電話端末を例に説明したが、ＴＤＭＡ通信方式を用いる各種通信装置に対して同様に適用できる。また、バーストノイズの干渉を受ける通信装置として補聴器を例に説明したが、補聴器に限らず、携帯電話端末との間で磁気信号の伝送を行う各種通信装置に同様に適用できる。
【０１３２】
上述した実施の形態に関し、さらに以下の付記を開示する。
【０１３３】
（付記１）時分割多元アクセス通信方式により、自装置に割り当てられたスロットに送信信号を所定の出力レベルでバースト状とした通信バースト信号を出力し、前記通信バースト信号より出力レベルが小さく、通信に無関係の情報を含む電流補償バースト信号を前記通信バースト信号のスロットに隣接するスロットに出力し、
前記電流補償バースト信号のスロットの期間、アンテナ部の接続を切断する制御を行う制御部を備えたことを特徴とする通信装置。
【０１３４】
（付記２）自装置が受信した音声の受信信号を磁気信号に変換し送信する送信コイルを含むレシーバ部を有し、
前記レシーバ部は、自装置外部の音声変換装置に前記磁気信号を伝送することを特徴とする付記１に記載の通信装置。
【０１３５】
（付記３）送信信号を前記アンテナ部と擬似負荷部との間で切り替えるアンテナ切替部を有し、
前記制御部は、
前記アンテナ切替部を制御し、前記電流補償バースト信号の電力増幅後の出力エネルギーを前記擬似負荷部で消費させることを特徴とする付記１または２に記載の通信装置。
【０１３６】
（付記４）前記制御部は、
自装置および他装置のフレーム内のスロットの割り当てに基づき、自装置の前記電流補償バースト信号を出力するスロットが他装置で使用されていない空きスロットの場合、前記電流補償バースト信号を前記アンテナ部から外部に輻射させることを特徴とする付記１または２に記載の通信装置。
【０１３７】
（付記５）前記制御部は、
基地局との通信状態に基づき、前記通信バースト信号の出力レベルを決定することを特徴とする付記１〜４のいずれか一つに記載の通信装置。
【０１３８】
（付記６）前記制御部は、
前記通信バースト信号の出力レベルに基づき、前記電流補償バースト信号の出力の有無と、スロット数と、出力レベルとを決定することを特徴とする付記１〜５のいずれか一つに記載の通信装置。
【０１３９】
（付記７）前記制御部は、
さらに、自装置の電源状態に基づき、前記電流補償バースト信号の出力の有無と、スロット数と、出力レベルとを決定することを特徴とする付記６に記載の通信装置。
【０１４０】
（付記８）前記制御部は、
通話接続時に、前記電流補償バースト信号を生成する制御を行うことを特徴とする付記１〜７のいずれか一つに記載の通信装置。
【０１４１】
（付記９）前記制御部は、
前記通信バースト信号のスロットの電流変動と、前記電流補償バースト信号のスロットの電流変動が同程度になるように前記電流補償バースト信号の出力レベルを設定することを特徴とする付記６〜８のいずれか一つに記載の通信装置。
【０１４２】
（付記１０）前記制御部は、
前記通信バースト信号と、前記電流補償バースト信号を同一の送信周波数に設定することを特徴とする付記１〜９のいずれか一つに記載の通信装置。
【０１４３】
（付記１１）前記制御部は、
前記電流補償バースト信号に複数のスロットを用いる場合、前記通信バースト信号のスロットから離れたスロットの出力レベルを徐々に小さく設定することを特徴とする付記７に記載の通信装置。
【０１４４】
（付記１２）前記制御部は、
予め設定された通信に無関係の符号の組み合わせデータコードを用いて前記電流補償バースト信号の生成を制御することを特徴とする付記１〜１１のいずれか一つに記載の通信装置。
【符号の説明】
【０１４５】
１００  携帯電話端末
１０１  送信ベースバンド部
１０２  モデム
１０３  電力増幅部
１０４  アンテナ切替部
１０５  アンテナ部
１０６  擬似負荷部
１０７  受信ベースバンド部
１０８  制御部
１１１  変調部
１１２  復調部
１１３  無線周波数発振部
１２１  マイク部
１２２  レシーバ部
２００  補聴器
２０２  受信コイル（ピックアップコイル）
２１１  スピーカ
２１２  送信コイル
３０１  通信バースト信号
４０１（４０１ａ〜４０１ｄ）  電流補償バースト信号
【図１】
2016119523.tif 000003
【図２】
2016119523.tif 000004
【図３】
2016119523.tif 000005
【図４】
2016119523.tif 000006
【図５】
2016119523.tif 000007
【図６】
2016119523.tif 000008
【図７】
2016119523.tif 000009
【図８】
2016119523.tif 000010
【図９】
2016119523.tif 000011